(57)【特許請求の範囲】
【請求項１】
被写体を照明する閃光装置と、
被写体からの光を測定する測光手段と、
多数の光電変換素子が二次元状に配列され、前記閃光装置の照明光の色温度において輝度に対する感度が前記測光手段とは異なる固体撮像手段と、
前記閃光装置の照明光の色温度における前記測光手段と前記固体撮像手段との輝度に対する感度の差を補正する補正手段と、
前記閃光装置による被写体照明時の前記測光手段による測光結果および前記補正手段による補正結果に基づいて前記閃光装置の発光量を制御する調光手段とを備えることを特徴とするデジタルスチルカメラ。
【請求項２】
請求項１に記載のデジタルスチルカメラにおいて、
前記閃光装置は閃光撮影前に予備発光を行い、
前記測光手段は前記予備発光時に被写体からの光を測定し、前記閃光装置による閃光撮影時の発光量を決定し、
前記補正手段は、前記閃光装置による閃光撮影時に適正な露出が得られるように、前記決定された閃光撮影時の発光量を低減して前記感度差を補正することを特徴とするデジタルスチルカメラ。
【請求項３】
請求項２に記載のデジタルスチルカメラにおいて、
前記補正手段は、前記閃光装置の発光時間を短縮して発光量を低減することを特徴とするデジタルスチルカメラ。
【請求項４】
請求項２に記載のデジタルスチルカメラにおいて、
前記補正手段は、前記閃光装置の発光の強さを下げて発光量を低減することを特徴とするデジタルスチルカメラ。
【請求項５】
請求項１に記載のデジタルスチルカメラにおいて、
前記測光手段は前記閃光装置による閃光撮影時に被写体からの光を測定し、
前記調光手段は、前記固体撮像手段の撮像感度と撮像光学系の絞り値に基づいて前記閃光装置の調光レベルを決定し、前記閃光装置による閃光撮影時に前記測光手段による測光値の積分量が前記調光レベルに達すると前記閃光装置による被写体照明を停止し、
前記補正手段は、前記固体撮像手段と前記測光手段との輝度に対する感度の差を補正するための補正係数を前記調光手段へ送り、前記補正係数により前記調光レベルを低減させることを特徴とするデジタルスチルカメラ。
【請求項６】
請求項１〜５のいずれか一項に記載のデジタルスチルカメラにおいて、
前記測光手段はシリコンフォトダイオードで構成され、
前記固体撮像手段は固体撮像素子で構成されることを特徴とするデジタルスチルカメラ。
【発明の詳細な説明】
【０００１】
【発明の属する技術分野】
本発明は固体撮像素子を用いたデジタルスチルカメラに関し、特に、閃光撮影時の露出の適正化を図るものである。
【０００２】
【従来の技術とその問題点】
複数の光電変換素子が二次元状に配列された固体撮像素子により被写体を撮像し、この固体撮像素子の画素から画像データを読み出して記録媒体に記録するデジタルスチルカメラが知られている。
【０００３】
この種のデジタルスチルカメラで閃光撮影を行う場合には、閃光装置により照明された被写体から光を調光用測光素子により受光し、測光値の時間積分量が予め設定された調光レベルに達したら閃光装置の発光を停止する、いわゆる自動調光制御が行われている。
【０００４】
ところで、一般に、シリコンフォトダイオード（ＳＰＤ）に代表される測光素子と、ＣＣＤ方式やＸＹアドレス方式の固体撮像素子とでは、光源の種類、すなわち照明光の色温度によって輝度に対する感度が異なる。平均的な自然光の色温度がおよそ５０００Ｋであるのに対し、閃光装置に用いられる代表的なキセノン放電管の色温度はおよそ６０００Ｋ以上と高く、しかも固体撮像素子は色温度が高いほど輝度に対する感度が高くなる特性を備えている。
【０００５】
したがって、閃光装置により照明された被写体からの光を測光素子により測光して閃光装置の発光量を制御すると、自然光により撮影を行う場合よりも露出過度（露出オーバー）になるという問題がある。
【０００６】
本発明の目的は、閃光撮影時の露出を適正にすることにある。
【０００７】
【課題を解決するための手段】
本願発明は、被写体を照明する閃光装置と、被写体からの光を測定する測光手段と、多数の光電変換素子が二次元状に配列され、前記閃光装置の照明光の色温度において輝度に対する感度が前記測光手段とは異なる固体撮像手段と、前記閃光装置の照明光の色温度における前記測光手段と前記固体撮像手段との輝度に対する感度の差を補正する補正手段と、前記閃光装置による被写体照明時の前記測光手段による測光結果および前記補正手段による補正結果に基づいて前記閃光装置の発光量を制御する調光手段とを備えることを特徴とする。
【０００９】
【発明の実施の形態】
本発明を、閃光装置を装着した一眼レフレックスタイプのデジタルスチルカメラに応用した一実施の形態を説明する。
【００１０】
図１は、一実施の形態の閃光装置を装着した一眼レフレックスタイプのデジタルスチルカメラの断面を示す。
図において、カメラ本体１には着脱可能なレンズ鏡胴２と閃光装置３が装着される。レンズ鏡胴２には撮影レンズ４、絞り５の他に、撮影レンズ４に関する情報を記憶するレンズＲＯＭ（不図示）などが内蔵される。
【００１１】
カメラ本体１には、従来の銀塩フィルムカメラのフィルム位置（撮影レンズの予定焦点面）に、フィルムに代わるＣＣＤ方式の固体撮像素子６が設置される。この撮像素子６は、多数の光電変換素子が二次元状に配列されており、撮影レンズ４により結像された被写体像の輝度分布に応じた電気信号（以下、画像信号と呼ぶ）を出力する。なお、この撮像素子６には、例えばＣＭＯＳにより形成されるＸＹアドレス方式の固体撮像素子を用いてもよい。
【００１２】
カメラ本体１には撮像素子６の他に、従来の銀塩フィルムカメラに内蔵される機器と同様のメインミラー７、サブミラー８、シャッター９、焦点検出装置１０、ＴＴＬ自動調光用測光素子１１、ファインダースクリーン１２、ペンタプリズム１３、接眼レンズ１４、ＴＴＬ分割測光素子１５などが内蔵される。
【００１３】
焦点検出装置１０は撮影レンズ４の焦点調節状態を検出する。ＴＴＬ分割測光素子１５は、撮影レンズ４を通過しメインミラー７で反射された光をペンタプリズム１３、集光レンズ１６を通して受光し、被写界を複数の領域に分割して各領域ごとにシリコンフォトダイオードにより被写体輝度を測定する。
【００１４】
自動調光用測光素子１１は、閃光装置３の予備発光時に撮影レンズ４を通過し、シャッター９の幕面で反射された被写体光を集光レンズ１７を通して受光し、シリコンフォトダイオードにより測光を行う。
【００１５】
また、閃光装置３は本発光と本発光前に予備発光とを行う閃光装置であり、本発光用のキセノン放電管１８、予備発光用ランプ１９、外部自動調光用測光素子２０を備えている。外部自動調光用測光素子２０は、外部自動調光モードにおいて、閃光装置３の本発光時に撮影レンズ４を介さずに被写体からの光を直接、受光し、シリコンフォトダイオードにより測光を行う。
【００１６】
図２は一実施の形態の電気回路の構成を示す。なお、図１に示す機器と同一の機器に対しては同符号を付して説明を省略する。
信号処理回路２１は、撮像素子６から読み出されたアナログ画像信号に対してゲイン調整や雑音除去などの処理を行った後、Ａ／Ｄ変換し、さらにホワイトバランス調整、輪郭補償、ガンマ補正などの処理を行う。圧縮伸長回路２２は、ＪＰＥＧ準拠の方式により原画像の圧縮と圧縮画像の伸長を行う。
【００１７】
バッファーメモリ２３は、撮像後の原画像データおよび圧縮後の画像データを一時的に記憶するメモリであり、ＳＲＡＭ、ＶＲＡＭ、ＳＤＲＡＭなどを用いることができる。メモリカード２４は画像を記録するための着脱可能な記録媒体であり、フラッシュメモリなどを用いることができる。シャッター駆動装置２５はアクチュエーターによりシャッター９の開閉を行い、絞り駆動装置２６はアクチュエーターにより絞り５の開閉を行う。また、レンズ駆動装置２７はアクチュエーターにより撮影レンズ４を駆動する。
【００１８】
カメラ本体１のコントローラー２８は、マイクロコンピューターとＲＯＭ、ＲＡＭ、Ａ／Ｄコンバーターなどの周辺部品を備え、焦点調節制御、露出制御、閃光発光制御、撮像制御などを行う。コントローラー２８には、シャッターボタン（不図示）の半押し時にオンする半押しスイッチ２９と、シャッターボタンの全押し時にオンするレリーズスイッチ３０などが接続される。
【００１９】
閃光装置３の閃光回路３１は、キセノン放電管１８を点灯して本発光を行うとともに、予備発光用ランプ１９を点灯して予備発光を行う。閃光装置コントローラー３２は、外部自動調光モードにおいて、外部自動調光用測光素子２０の測光結果に基づいて閃光回路３１により本発光を行うとともに、ＴＴＬ自動調光モードおよびＴＴＬ−ＢＬ（バランス）自動調光モードにおいて、カメラ本体１のコントローラー２８からの指令にしたがって閃光回路３１により予備発光と本発光を行う。
【００２０】
なお、カメラ本体１のコントローラー２８と閃光装置３のコントローラー３２は、カメラ本体１の上部のアクセサリーシュー（不図示）の電気接点を介して情報の授受を行う。これらの情報には、カメラ本体１から閃光装置３へ送られる閃光撮影モード、発光開始指令、銀塩カメラのＩＳＯ感度に相当する撮像感度、絞り値などが含まれる。
【００２１】
ここで、この実施の形態の閃光撮影モードについて説明する。
この実施の形態では、外部自動調光モード、ＴＴＬ自動調光モードおよびＴＴＬ−ＢＬ自動調光モードのいずれかのモードにより、自動調光閃光撮影を行う。
【００２２】
《外部自動調光モード》
外部自動調光モードは、閃光撮影時に被写体からの光を撮影レンズ４を通さずに測光し、その測光結果に基づいて閃光装置３側で閃光撮影時の発光量を制御する閃光撮影モードである。このモードでは、閃光撮影時にカメラ本体１から閃光装置３へ撮像感度、絞り値、補正係数などの閃光撮影情報と本発光開始指令とが送られる。なお、補正係数については後述する。
【００２３】
閃光装置コントローラー３２は、本発光開始指令を受信すると閃光回路３１によりキセノン放電管１８の本発光を開始させるとともに、本発光により照明された被写体からの光を外部自動調光用測光素子２０により測光し、測光値を時間積分する。そして、測光値の時間積分量が予め設定された調光レベルに達すると、閃光回路３１によりキセノン放電管１８の発光を停止させる。
【００２４】
外部自動調光モードにおいて本発光を停止させる調光レベルは、カメラ本体１から送られた撮像感度と絞り値に基づいて閃光装置３のコントローラー３２により決定する。
【００２５】
上述したように、ＣＣＤ方式やＸＹアドレス方式の固体撮像素子６と、シリコンフォトダイオードの外部自動調光用測光素子２０とでは、光源の種類、すなわち照明光の色温度によって輝度に対する感度が異なる。平均的な自然光の色温度がおよそ５０００Ｋであるのに対し、閃光装置３のキセノン放電管１８の色温度がおよそ６０００Ｋ以上と高く、しかも固体撮像素子６は色温度が高いほど輝度に対する感度が高くなる特性を備えている。
【００２６】
したがって、キセノン放電管１８の閃光によって被写体を照明し、被写体からの光を外部自動調光用測光素子２０により測光して閃光装置３の発光量を制御すると、自然光により撮影を行う場合よりも露出オーバーになってしまう。
【００２７】
そこで、この実施の形態の外部自動調光モードでは、閃光装置３のキセノン放電管１８による閃光撮影時に適正露出となるように、カメラ本体１から送られた補正係数により上記の調光レベルを補正、すなわち調光レベルを下げる。これにより、発光時間が短くなって閃光発光量が減少し、キセノン放電管１８による被写体照明時の露出オーバーを防止して適正露出を得ることができる。
【００２８】
調光レベルの補正係数は、キセノン放電管１８による閃光撮影時の、自動調光用測光素子２０と固体撮像素子６との輝度に対する感度の差を補正するための補正係数であり、自動調光用測光素子２０と固体撮像素子６の輝度に対する感度特性に基づいて、キセノン放電管１８による閃光撮影において最適な露出が得られる値を予め設定し、カメラ本体コントローラー２８のメモリに記憶しておく。
【００２９】
なお、この実施の形態では、外部自動調光モードによる閃光撮影時に調光レベルを補正係数により補正する例を示すが、外部自動調光モードによる閃光撮影時にカメラ本体の絞り値を補正係数により補正し、閃光撮影時には適正露出が得られるまで絞り込むようにしてもよい。
【００３０】
また、上述した外部自動調光モードにおける調光レベルの補正係数は、実際にキセノン放電管１８による閃光撮影を行って適正露出が得られる値を決定してもよい。なお、閃光放電管の種類によって色温度が異なるので、閃光放電管の種類に応じて最適な補正係数を設定する必要がある。
【００３１】
《ＴＴＬ自動調光モード》
ＴＴＬ自動調光モードはカメラ本体１で閃光発光量を制御する閃光撮影モードであり、閃光装置３の予備発光時に被写体からの光を撮影レンズ４を通してカメラ本体１で測光し、その測光結果に基づいてカメラ本体１側で本発光による閃光撮影時の発光量を制御する。このモードでは、カメラ本体１から閃光装置３へ予備発光指令、本発光開始指令および本発光停止指令が送られる。
【００３２】
閃光装置コントローラー３２は、カメラ本体１から予備発光指令を受信すると閃光回路３１により予備発光用ランプ１９を点灯させ、予備発光を行う。カメラ本体コントローラー２８は、予備発光により照明された被写体からの光を、撮影レンズ４を通して自動調光用測光素子１１により測光する。そして、予備発光時の測光値、閃光装置３の発光時間に対する発光強さを示す発光特性、撮像感度および絞り値に基づいて、ＴＴＬ自動調光モードの本発光時の発光量、すなわち発光時間を決定する。
【００３３】
本発光時にはシャッター９が開放されるので、本発光により照明された被写体からの光は固体撮像素子６へ入射する。ところが、固体撮像素子６は入射光の光軸以外の方向へは光が反射しない性質を有しており、そのため本発光時の被写体からの光はＴＴＬ自動調光用測光素子１１の方向へ反射されず、ＴＴＬ自動調光用測光素子１１で本発光時の輝度を測定することができない。したがって、ＴＴＬ自動調光モードでは、予備発光時の被写界全体の測光値、閃光装置３の発光特性、撮像感度および絞り値に基づいて本発光時のキセノン放電管１８の発光時間を決定する。
【００３４】
また、上述したように、ＣＣＤ方式やＸＹアドレス方式の固体撮像素子６とシリコンフォトダイオードのＴＴＬ自動調光用測光素子１１とでは、光源の種類、すなわち照明光の色温度によって輝度に対する感度が異なるため、予備発光時のＴＴＬ自動調光用測光素子１１による測光結果に基づいて本発光時の閃光装置３の発光時間を決定すると、自然光により撮影を行う場合よりも露出オーバーになる。
【００３５】
そこで、このＴＴＬ自動調光モードでは、キセノン放電管１８による閃光撮影時の、ＴＴＬ自動調光用測光素子１１と固体撮像素子６との輝度に対する感度の差を考慮して、閃光装置３のキセノン放電管１８による本発光時に適正な露出が得られるように、予備発光時に決定した本発光の発光時間を補正係数により補正し、発光時間を短縮する。これにより、キセノン放電管１８による本発光時の発光量が減少して露出オーバーが防止され、適正な露出を得ることができる。
【００３６】
発光時間の補正係数は、キセノン放電管１８による閃光撮影時の、ＴＴＬ自動調光用測光素子１１と固体撮像素子６との輝度に対する感度の差を補正するための補正係数であり、ＴＴＬ自動調光用測光素子１１と固体撮像素子６の輝度に対する感度特性に基づいて、キセノン放電管１８による閃光撮影で最適な露出が得られる値を予め設定し、カメラ本体コントローラー２８のメモリに記憶しておく。
【００３７】
次に、閃光装置コントローラー３２は、カメラ本体１から本発光開始指令を受信すると閃光回路３１によりキセノン放電管１８を点灯して本発光を開始させる。カメラ本体コントローラー２８は、本発光時の発光時間が補正係数による補正後の発光時間になると、閃光装置３へ本発光停止指令を送る。閃光装置コントローラー３２は、カメラ本体１から本発光停止指令を受信すると閃光回路３１によりキセノン放電管１８の発光を停止させ、本発光を終了させる。
【００３８】
《ＴＴＬ−ＢＬ自動調光モード》
ＴＴＬ−ＢＬ自動調光モードは、上記ＴＴＬ自動調光モードと同様に、カメラ本体１で閃光発光量を制御する閃光撮影モードであり、閃光装置３の予備発光前と予備発光時に被写体からの光を撮影レンズ４を通してカメラ本体１で測光し、その測光結果に基づいてカメラ本体１側で本発光による閃光撮影時の発光量を制御する。このモードでは、カメラ本体１から閃光装置３へ予備発光指令、本発光開始指令および本発光停止指令が送られる。
【００３９】
まず、カメラ本体コントローラー２８は、予備発光を行う前にミラー７，８がダウンしている状態で、被写体からの光を撮影レンズ４、ペンタプリズム１３などを通してＴＴＬ分割測光素子１５へ導き、測光素子１５により各分割領域ごとに測光を行う（以下、ＡＥ測光と呼ぶ）。その後、閃光装置コントローラー３２へ予備発光指令を送信する。閃光装置コントローラー３２は、カメラ本体１から予備発光指令を受信すると閃光回路３１により予備発光用ランプ１９を点灯し、予備発光を行う。カメラ本体コントローラー２８は、予備発光時にミラー７，８をアップし、撮影レンズ４を通過しシャッター９の幕面で反射された被写体光をＴＴＬ自動調光用測光素子１１で受光し、測光素子１１により被写界全体を測光する（以下、上記のＡＥ測光と区別するためにＳＢ測光と呼ぶ）。そして、予備発光前の分割領域ごとのＡＥ測光値、予備発光時の被写界全体のＳＢ測光値、閃光装置３の発光時間に対する発光強さを示す発光特性、撮像感度および絞り値に基づいて、背景光に露出を合わせ、さらに主要被写体光と背景光とのバランスを考慮して本発光時の発光量、すなわち本発光の発光時間を決定する。このＴＴＬ−ＢＬ自動調光モードによれば、背景光とのバランスのとれた自然な描写を可能にすることができる。なお、ＴＴＬ−ＢＬ自動調光についてはすでに周知であるから詳細な説明を省略する。
【００４０】
本発光時にはシャッター９が開放されるので、本発光により照明された被写体からの光は固体撮像素子６へ入射する。ところが、固体撮像素子６は入射した光がほとんど乱反射しない性質を有しており、そのため本発光時の被写体光はＴＴＬ自動調光用測光素子１１へ入射せず、ＴＴＬ自動調光用測光素子１１で本発光時の輝度を測定することができない。したがって、ＴＴＬ−ＢＬ自動調光モードでは、予備発光前の分割領域ごとのＡＥ測光値、予備発光時の被写界全体のＳＢ測光値、閃光装置３の発光特性、撮像感度および絞り値に基づいて本発光時のキセノン放電管１８の発光時間を決定する。
【００４１】
また、上述したように、ＣＣＤ方式やＸＹアドレス方式の固体撮像素子６と、シリコンフォトダイオードのＴＴＬ自動調光用測光素子１１とでは、光源の種類、すなわち照明光の色温度によって輝度に対する感度が異なるため、予備発光時のＴＴＬ自動調光用測光素子１１による測光結果に基づいて本発光時の閃光装置３の発光時間を決定すると、自然光により撮影を行う場合よりも露出オーバーになる。
【００４２】
そこで、このＴＴＬ−ＢＬ自動調光モードでは、ＴＴＬ自動調光用測光素子１１と固体撮像素子６との輝度に対する感度の差を考慮して、閃光装置３のキセノン放電管１８による本発光時に適正な露出が得られるように、予備発光時に決定した発光時間を補正係数により補正し、発光時間を短縮する。これにより、キセノン放電管１８による本発光時の発光量が減少して露出オーバーになるのが防止され、適正な露出を得ることができる。
【００４３】
発光時間の補正係数は、キセノン放電管１８による閃光撮影時の、固体撮像素子６とＴＴＬ自動調光用測光素子１１との輝度に対する感度の差を補正するための補正係数であり、固体撮像素子６とＴＴＬ自動調光用測光素子１１の輝度に対する感度特性に基づいて、キセノン放電管１８による閃光撮影で最適な露出が得られる値を予め設定し、カメラ本体コントローラー２８のメモリに記憶しておく。
【００４４】
次に、閃光装置コントローラー３２は、カメラ本体１から本発光開始指令を受信すると閃光回路３１によりキセノン放電管１８を点灯して本発光を開始させる。カメラ本体コントローラー２８は、本発光時の発光時間が補正係数による補正後の発光時間になると、閃光装置３へ本発光停止指令を送る。閃光装置コントローラー３２は、カメラ本体１から本発光停止指令を受信すると閃光回路３１によりキセノン放電管１８の発光を停止させ、本発光を終了させる。
【００４５】
なお、上述したＴＴＬ自動調光モードおよびＴＴＬ−ＢＬ自動調光モードにおける発光時間の補正係数は、実際にキセノン放電管１８による閃光撮影を行って適正露出が得られる値を決定してもよい。また、閃光放電管の種類によって色温度が異なるので、閃光放電管の種類に応じて最適な補正係数を設定する必要がある。
【００４６】
次に、それぞれの閃光撮影モードの閃光撮影動作を説明する。
【００４７】
《外部自動調光モードの閃光撮影動作》
図３および図４は、外部自動調光モードにおける閃光撮影動作を示すフローチャートである。これらのフローチャートにより、一実施の形態の動作を説明する。
カメラ本体１および閃光装置３の撮影モード設定部材（不図示）により外部自動調光モードが設定されると、カメラ本体１のコントローラー２８と閃光装置３のコントローラー３２はこの閃光撮影動作を実行する。
【００４８】
カメラ本体コントローラー２８は、ステップ１において半押しスイッチ２９によりシャッターボタンが半押しされているかどうかを確認し、シャッターボタンが半押しされるとステップ２へ進む。ステップ２では閃光装置コントローラー３２へ予備発光指令を送信する。閃光装置コントローラー３２は、ステップ２１でカメラ本体コントローラー２８から予備発光指令を受信するとステップ２２へ進み、閃光回路３１により予備発光用ランプ１９を点灯して予備発光を行う。
【００４９】
カメラ本体コントローラー２８は、ステップ３で予備発光時に焦点検出装置１０により撮影レンズ４の焦点調節状態を検出するとともに、分割測光素子１５により分割領域ごとに測光する。続くステップ４で焦点検出結果に基づいてレンズ駆動装置２７により撮影レンズ４の焦点調節を行う。次に、ステップ５で分割測光素子１５による分割測光結果に基づいて露出演算を行い、演算結果の露出値に基づいて絞り駆動装置２６により絞り５を制御する。そして、ステップ６で撮像感度、絞り値、補正係数などの閃光撮影情報を閃光装置コントローラー３２へ送信する。
【００５０】
閃光装置コントローラー３２は、ステップ２３で閃光撮影情報を受信し、続くステップ２４で閃光撮影情報の撮像感度と絞り値に基づいて調光レベルを決定する。さらに、キセノン放電管１８による閃光撮影で適正露出を得るために補正係数により調光レベルを補正し、調光レベルを下げる。
【００５１】
カメラ本体コントローラー２８は、ステップ７でレリーズスイッチ３０によりシャッターボタンがレリーズされたかどうかを確認し、シャッターがレリーズされたらステップ８へ進み、そうでなければステップ１へ戻る。ステップ８では、シャッター駆動装置２５によりシャッター９を開放するとともに、ＣＣＤ撮像素子６による電荷の蓄積を開始する。続くステップ９で閃光装置コントローラー３２へ本発光開始指令を送信する。
【００５２】
閃光装置コントローラー３２は、ステップ２５で本発光開始指令を受信するとステップ２６へ進む。ステップ２６では、閃光回路３１によりキセノン放電管１８を点灯させて本発光を開始させるとともに、本発光で照明された被写体を外部自動調光用測光素子２０により測光する。そして、ステップ２７で測光値の時間積分量が補正後の調光レベルに達したかどうかを確認し、調光レベルに達しておればステップ２８へ進んでキセノン放電管１８の本発光を終了する。
【００５３】
カメラ本体コントローラー２８は、閃光装置３の本発光が終了すると、ステップ１０でシャッター駆動回路２５によりシャッター９を閉じるとともに、撮像素子６の電荷蓄積を終了する。ステップ１１で撮像素子６から信号処理回路２１へ蓄積電荷を読み出し、続くステップ１２で画像信号にゲイン調整や雑音除去などの処理を行った後、Ａ／Ｄ変換し、さらにホワイトバランス調整、輪郭補償、ガンマ補正などの処理を行う。次に、ステップ１３で圧縮伸長回路２２により原画像を圧縮し、ステップ１４で圧縮後の画像データをメモリカードへ記録する。
【００５４】
《ＴＴＬ自動調光モードおよびＴＴＬ−ＢＬ自動調光モードの閃光撮影動作》
図５および図６は、ＴＴＬ自動調光モードおよびＴＴＬ−ＢＬ自動調光モードにおける閃光撮影動作を示すフローチャートである。これらのフローチャートにより、一実施の形態の動作を説明する。
カメラ本体１および閃光装置３の撮影モード設定部材（不図示）によりＴＴＬ自動調光モードまたはＴＴＬ−ＢＬ自動調光モードが設定されると、カメラ本体１のコントローラー２８と閃光装置３のコントローラー３２はこの閃光撮影動作を実行する。
【００５５】
カメラ本体コントローラー２８は、ステップ３１において半押しスイッチ２９によりシャッターボタンが半押しされているかどうかを確認し、シャッターボタンが半押しされるとステップ３２へ進む。ステップ３２で、ＴＴＬ−ＢＬ自動調光モードが選択されている場合は、予備発光前のミラー７，８がダウンしている状態でＴＴＬ分割測光素子１５により分割領域ごとに上述したＡＥ測光を行う。なお、ＴＴＬ自動調光モードの場合は予備発光前のＡＥ測光を行わない。続くステップ３３で、閃光装置コントローラー３２へ予備発光指令を送信する。閃光装置コントローラー３２は、ステップ５１でカメラ本体コントローラー２８から予備発光指令を受信するとステップ５２へ進み、閃光回路３１により予備発光用ランプ１９を点灯して予備発光を行う。
【００５６】
カメラ本体コントローラー２８は、ステップ３４で予備発光時にミラー７，８をアップし、焦点検出装置１０により撮影レンズ４の焦点調節状態を検出するとともに、ＴＴＬ自動調光用測光素子１１により上述したＳＢ測光を行う。続くステップ３５で焦点検出結果に基づいてレンズ駆動装置２７により撮影レンズ４の焦点調節を行う。次に、ステップ３６で測光結果に基づいて露出演算を行い、演算結果の露出値に基づいて絞り駆動装置２６により絞り５を制御する。
【００５７】
カメラコントローラー２８は、ステップ３７において、ＴＴＬ自動調光モード設定時は、予備発光時の被写界全体の測光値、閃光装置３の発光特性、撮像感度および絞り値に基づいて本発光の発光時間を決定し、ＴＴＬ−ＢＬ自動調光モードでは、予備発光前の分割領域ごとのＡＥ測光値、予備発光時の被写界全体のＳＢ測光値、閃光装置３の発光特性、撮像感度および絞り値に基づいて本発光の発光時間を決定する。そして、いずれのＴＴＬ自動調光モードでも、キセノン放電管１８による閃光撮影で適正露出を得るために補正係数により発光時間を補正し、発光時間を短くする。
【００５８】
カメラ本体コントローラー２８は、ステップ３８でレリーズスイッチ３０によりシャッターボタンがレリーズされたかどうかを確認し、シャッターがレリーズされたらステップ３９へ進み、そうでなければステップ３１へ戻る。ステップ３９では、シャッター駆動装置２５によりシャッター９を開放するとともに、ＣＣＤ撮像素子６による電荷の蓄積を開始する。続くステップ４０で閃光装置コントローラー３２へ本発光開始指令を送信する。
【００５９】
閃光装置コントローラー３２は、ステップ５３で本発光開始指令を受信するとステップ５４へ進み、閃光回路３１によりキセノン放電管１８を点灯させて本発光を開始させる。
【００６０】
カメラ本体コントローラー２８は、ステップ４１で本発光時の発光時間が補正後の発光時間に達したかどうかを確認し、発光時間が終了していればステップ４２へ進み、閃光装置コントローラー３２へ本発光停止指令を送信する。
【００６１】
閃光装置コントローラー３２は、ステップ５５で本発光停止指令を受信するとステップ５６へ進み、閃光回路３１によりキセノン放電管１８の本発光を終了する。
【００６２】
カメラ本体コントローラー２８は、閃光装置３の本発光が終了すると、ステップ４３でシャッター駆動回路２５によりシャッター９を閉じるとともに、撮像素子６の電荷蓄積を終了する。ステップ４４で撮像素子６から信号処理回路２１へ蓄積電荷を読み出し、続くステップ４５で画像信号にゲイン調整や雑音除去などの処理を行った後、Ａ／Ｄ変換し、さらにホワイトバランス調整、輪郭補償、ガンマ補正などの処理を行う。次に、ステップ４６で圧縮伸長回路２２により原画像を圧縮し、ステップ４７で圧縮後の画像をメモリカードへ記録する。
【００６４】
なお、上述した一実施の形態では、外部自動調光による閃光撮影時に適正露出が得られるように、調光レベルを補正係数により補正して発光量を低減する例を示した。また、ＴＴＬ自動調光およびＴＴＬ−ＢＬ自動調光による閃光撮影時に適正露出が得られるように、発光時間を補正係数により補正して発光量を低減する例を示した。しかし、閃光撮影のために調光レベルまたは発光時間を補正せずに、画像処理回路におけるゲイン調整時の増幅ゲインを補正係数により補正し、閃光撮影時には適正露出が得られるまでゲインを下げるようにしてもよい。
【００６５】
また、閃光撮影時に閃光装置の発光を途中で終了させて発光量を低減するのではなく、閃光撮影時に発光の強さを下げて発光量を低減するようにしてもよい。
【００６６】
さらに、上述した実施の形態では着脱可能な閃光装置３をカメラ本体１に装着する例を示したが、閃光装置を内蔵したカメラに対しても本発明を適用することができ、同様な効果を得ることができる。
【００６７】
【発明の効果】
本発明によれば、閃光撮影時の露出を適正にすることができる。
【図面の簡単な説明】
【図１】  一実施の形態の閃光装置を装着した一眼レフレックスタイプのデジタルスチルカメラの断面を示す図である。
【図２】  一実施の形態の電気回路の構成を示す図である。
【図３】  外部自動調光モードの閃光撮影動作を示すフローチャートである。
【図４】  図３に続く、外部自動調光モードの閃光撮影動作を示すフローチャートである。
【図５】  ＴＴＬ自動調光モードおよびＴＴＬ−ＢＬ自動調光モードの閃光撮影動作を示すフローチャートである。
【図６】  図５に続く、ＴＴＬ自動調光モードおよびＴＴＬ−ＢＬ自動調光モードの閃光撮影動作を示すフローチャートである。
【符号の説明】
１  カメラ本体
２  レンズ鏡胴
３  閃光装置
４  撮影レンズ
５  絞り
６  固体撮像素子
７  メインミラー
８  サブミラー
９  シャッター
１０  焦点検出装置
１１  ＴＴＬ自動調光用測光素子
１２  ファインダースクリーン
１３  ペンタプリズム
１４  接眼レンズ
１５  ＴＴＬ分割測光素子
１６，１７  集光レンズ
１８  キセノン放電管
１９  予備発光用ランプ
２０  外部自動調光用測光素子
２１  信号処理回路
２２  圧縮伸長回路
２３  バッファーメモリ
２４  メモリカード
２５  シャッター駆動装置
２６  絞り駆動装置
２７  レンズ駆動装置
２８  コントローラー
２９  半押しスイッチ
３０  レリーズスイッチ
３１  閃光回路
３２  コントローラー
【図１】
0004479021.tif 000002
【図２】
0004479021.tif 000003
【図３】
0004479021.tif 000004
【図４】
0004479021.tif 000005
【図５】
0004479021.tif 000006
【図６】
0004479021.tif 000007